【手続補正書】
【提出日】平成19年1月22日(2007.1.22)
【手続補正１】
【補正対象書類名】特許請求の範囲
【補正対象項目名】全文
【補正方法】変更
【補正の内容】
【特許請求の範囲】
【請求項１】
移動中のストランド上に液体接着剤を吐出するノズルであって、
液体供給ポート、及び該液体供給ポートに流体連通状態に接続された液体吐出通路を有するノズル本体と、
該ノズル本体に形成されて、ストランドを受け取って、ストランドが前記液体吐出通路から接着剤を受け取る移動経路に沿ってストランドを案内するように構成されたノッチとを備えており、該ノッチは、前記液体吐出通路に隣接して配置され、前記移動中のストランドと係合するための丸みが付けられた凹面を有することを特徴とするノズル。
【請求項２】
前記ノッチは、入口端部及び出口端部を有し、前記移動経路は、前記入口端部から前記出口端部まで延在しており、前記丸みがつけられた凹面は、前記入口端部から前記出口端部に向かう方向で前記移動経路から離れるように傾斜していることを特徴とする請求項１に記載のノズル。
【請求項３】
前記丸みがつけられた凹面は、前記移動経路を横切る方向に湾曲していることを特徴とする請求項２に記載のノズル。
【請求項４】
前記丸みがつけられた凹面は、前記移動経路に平行な方向に湾曲していることを特徴とする請求項２に記載のノズル。
【請求項５】
前記丸みがつけられた凹面は、前記移動経路を横切る方向に湾曲し、かつ前記移動経路に平行な方向に湾曲していることを特徴とする請求項２に記載のノズル。
【請求項６】
前記ノッチの内部に前記移動経路に沿って延在する細長い凹部をさらに備えており、該細長い凹部は、ストランドを受け取って前記移動経路に沿ってストランドを案内することができる寸法でつくられていることを特徴とする請求項５に記載のノズル。
【請求項７】
前記ノッチの内部に前記移動経路に沿って延在する細長い凹部をさらに備えており、該細長い凹部は、ストランドを受け取って前記移動経路に沿ってストランドを案内することができる寸法でつくられている請求項１に記載のノズル。
【請求項８】
請求項１に記載のノズルを備えた弁モジュール。
【請求項９】
移動中のストランド上に液体接着剤を吐出するノズルであって、
液体供給ポート、及び該液体供給ポートに流体連通状態に接続された液体吐出通路を有するノズル本体と、
該ノズル本体に形成されて、ストランドを受け取って移動経路に沿ってストランドを案内するように構成されたノッチとを備えており、該ノッチは、前記液体吐出通路に隣接して配置され、ストランド係合表面を有しており、前記ノッチは、前記移動中のストランドの一部分を受け取る入口端部、及びストランドが前記液体吐出通路から接着剤を受け取る移動経路に沿って前記部分が前記ノッチから出ることができるようにする出口端部を有し、前記ストランド係合表面は、前記入口端部から前記出口端部に向かって湾曲していることを特徴とするノズル。
【請求項１０】
前記ノッチの内部に前記移動経路に沿って延在する細長い凹部をさらに備えており、該細長い凹部は、ストランドを受け取って前記移動経路に沿ってストランドを案内することができる寸法でつくられている請求項９に記載のノズル。
【請求項１１】
請求項９に記載のノズルを備えた弁モジュール。
【請求項１２】
液体吐出通路を設けたノズル本体と、該ノズル本体に形成された丸みがつけられた凹面を設けたノッチとを有するノズルを使用してストランド上に接着剤を吐出する方法であって、
前記ノッチに沿って長手方向に延在する移動経路に沿ってストランドを移動させることと、
前記移動経路に沿ったストランドの移動中に、ストランドを前記丸みがつけられた凹面に係合させることと、
ストランドが前記ノッチから出るときに、ストランド上に接着剤を吐出することとを含むことを特徴とする方法。
【請求項１３】
前記ストランドを移動させることはさらに、
前記ノッチ内でのストランドの移動方向を変化させることを含むことを特徴とする請求項１２に記載の方法。
【請求項１４】
前記移動方向を変化させることはさらに、
ストランドを湾曲面に沿って移動させることを含むことを特徴とする請求項１３に記載の方法。
【請求項１５】
前記移動方向を変化させることはさらに、
ストランドを傾斜面に沿って移動させることを含むことを特徴とする請求項１３に記載の方法。
【請求項１６】
流れ方向に移動する基体上に液体接着剤の制御パターンを吐出するノズルであって、
弁モジュールの取付面に取り付けられるように構成された第１側部と、第２側部とを有するノズル本体と、
前記ノズル本体に設けられた液体供給ポート及び処理空気供給ポートと、
前記液体供給ポートに流体連通しており、前記ノズル本体の前記第２側部に設けられた液体吐出口を備えている液体吐出通路と、
前記液体吐出通路は、前記液体吐出口を通って延在する軸線であって、流れ方向に移動する基体上に前記ノズルが液体接着剤を吐出しているときに基体と鋭角をなすように位置する前記軸線に沿って延在しており、
前記処理空気供給ポートに流体連通している複数の処理空気吐出通路と、前記ノズル本体の前記第２側部に設けられた前記液体吐出口と関連する複数の空気吐出口とを備え、
前記複数の処理空気吐出通路が前記複数の空気吐出口に流体連通していることを特徴とするノズル。
【請求項１７】
該基体は、該流れ方向のラインに沿って移動するストランドであり、
前記ノズルは、さらに、前記ノズル本体に直接取り付けられ、該ストランドの移動を受けて案内するように構成され向き合った側壁を有するストランドガイドを備えていることを特徴とする請求項１６に記載のノズル。
【請求項１８】
前記軸線は、前記第１側部に対して約６０度〜約８０度の角度をなしていることを特徴とする請求項１６に記載のノズル。
【請求項１９】
前記軸線と前記第１側部との間の角度は、約７０度であることを特徴とする請求項１６に記載のノズル。
【請求項２０】
前記液体吐出口は、前記ノズル本体の前記第２側部から延出した円錐台形突出部に備えられていることを特徴とする請求項１６に記載のノズル。
【請求項２１】
該基体は、該流れ方向のラインに沿って移動するストランドであり、
前記ノズルは、さらに、前記液体吐出通路に隣接して配置され、該ストランドの移動を受けて案内するように構成されたストランドガイドを備えていることを特徴とする請求項１６に記載のノズル。
【請求項２２】
前記ストランドガイドは、前記ノズル本体に直接結合されていることを特徴とする請求項２１に記載のノズル。
【請求項２３】
前記直接結合されたストランドガイドは、前記ノズル本体と一体に形成されていることを特徴とする請求項２２に記載のノズル。
【請求項２４】
前記ノズル本体は、該ストランドに近接して配置された下面を有しており、前記複数の処理空気吐出通路は、前記液体吐出口と前記下面との間に配置された二つの空気吐出口を有する二つの処理空気吐出通路を備え、さらに、二つの処理空気吐出通路及び前記液体吐出口の上方に配置された対応する二つの空気吐出口を備えていることを特徴とする請求項１７に記載のノズル。
【請求項２５】
前記ノズル本体は、該ストランドに近接して配置された下面を有しており、前記複数の処理空気吐出通路の少なくとも一つ及びそれに対応する空気吐出口は、前記液体吐出口と前記下面との間に配置されていることを特徴とする請求項１７に記載のノズル。
【請求項２６】
前記ストランドガイドは、前記ノズル本体に形成されたノッチを備えており、前記ノズル本体は、さらに、第３側部を備えており、前記ノッチは、前記第２側部と前記第３側部との間に実質的に延在しており、前記第２側部と前記第３側部との少なくとも一方は、前記第１側部と鋭角をなしていることを特徴とする請求項１７に記載のノズル。
【請求項２７】
前記第２側部は、前記第１側部に対して約６０度〜約８０度の角度をなしていることを特徴とする請求項２６に記載のノズル。
【請求項２８】
前記第３側部は、前記第１側部に対して、約７０度未満の角度をなしていることを特徴とする請求項２６に記載のノズル。
【請求項２９】
前記第３側部は、前記第１側部に対して、約６５度の角度をなしていることを特徴とする請求項２６に記載のノズル。
【請求項３０】
少なくとも一つのストランドに対して鋭角をなして配置された少なくとも一つの液体吐出通路と、該液体吐出通路に流体連通している液体吐出口と、複数の空気吐出通路と、該複数の空気吐出通路にそれぞれ流体連通している複数の空気吐出口と、該液体吐出通路に隣接して配置されたストランドガイドとを有する液体吐出ノズルから該ストランドへ液体を吐出する方法であって、
該ストランドを該ストランドガイドに通して流れ方向に延在するラインに沿って該液体吐出ノズルに対して相対的に移動させることと、
該液体吐出口から該流れ方向に該ストランドへ向けて該液体をフィラメント状に吐出することと、
該フィラメントに空気を衝突させるために該空気吐出口から空気を吐出することと、
該液体を該フィラメントに付着させることとを含むことを特徴とする方法。
【請求項３１】
該ノズルは、さらに、それぞれ対応するストランドに対して鋭角をなす複数の液体吐出通路と、それぞれの液体吐出口と、複数の空気吐出通路、それぞれ該液体吐出口と対応した複数の空気吐出口とを備え、前記方法は、さらに、
複数のストランドを該ストランドガイドに通して流れ方向に延在するラインに沿って該液体吐出ノズルに対して相対的に移動させることと、
該液体吐出口から該流れ方向にそれぞれのストランドへ向けて該液体をフィラメント状に吐出することと、
それぞれのフィラメントに空気を衝突させるためにそれぞれの空気吐出口から空気を吐出することと、
該フィラメント状の液体をそれぞれのストランドに付着させることとを含むことを特徴とする請求項３０に記載の方法。
【請求項３２】
液体吐出口を備えた少なくとも一つの液体吐出通路と複数の空気吐出口とを有する液体吐出ノズルから少なくとも一つの基体に液体接着剤を吐出する方法であって、
少なくとも一つの基体を流れ方向に該液体吐出ノズルに対して相対的に移動させることと、
該液体吐出通路を該基体に対して直角とならないように配置し、該液体吐出口から該液体接着剤を略流れ方向にフィラメント状に吐出することと、
該フィラメントに空気を衝突させるために該複数の空気吐出口から空気を吐出することと、
該液体接着剤を該基体に付着させることとを含むことを特徴とする方法。
【請求項３３】
該ノズルは、さらに、複数の液体吐出通路と、それぞれの液体吐出口と、それぞれ該液体吐出口と対応した複数の空気吐出口とを備え、前記方法は、さらに、
少なくとも一つの基体を該流れ方向に延在するラインに沿って該液体吐出ノズルに対して相対的に移動させることと、
該液体吐出通路を該少なくとも一つの基体に対して直角とならないように配置し、該液体吐出口から該液体接着剤を略流れ方向にそれぞれフィラメント状に吐出することと、
それぞれのフィラメントに空気を衝突させるためにそれぞれの空気吐出口から空気を吐出することと、
該フィラメント状の液体接着剤を該基体に付着させることとを含むことを特徴とする請求項３２に記載の方法。
【請求項３４】
液体吐出口を備えた少なくとも一つの液体吐出通路と複数の空気吐出口とを有する液体吐出ノズルから少なくとも一つの基体に液体接着剤を吐出する方法であって、
該基体を流れ方向に該液体吐出ノズルに対して相対的に移動させることと、
該液体吐出口から該液体接着剤を略流れ方向にフィラメント状に吐出することと、
該フィラメントに空気を衝突させるために該複数の空気吐出口から空気を吐出することと、
該液体吐出口の下流側でのみ該フィラメントと該基体とを接触させることとを含むことを特徴とする方法。
【請求項３５】
該ノズルは、さらに、複数の液体吐出通路と、それぞれの液体吐出口と、それぞれ該液体吐出口と対応した複数の空気吐出口とを備え、前記方法は、さらに、
少なくとも一つの基体を該流れ方向に該液体吐出ノズルに対して相対的に移動させることと、
該液体吐出口から該液体接着剤を略流れ方向にそれぞれフィラメント状に吐出することと、
それぞれのフィラメントに空気を衝突させるためにそれぞれの空気吐出口から空気を吐出することと、
該それぞれの液体吐出口の下流側でのみそれぞれのフィラメントと該少なくとも一つの基体とを接触させることとを含むことを特徴とする請求項３４に記載の方法。
【請求項３６】
該基体は、ストランドであり、
前記方法は、さらに、該ストランドを該液体吐出ノズルに対して相対的に移動させながら、該液体吐出ノズルに直接結合されたストランドガイド内で該ストランドを案内することを含むことを特徴とする請求項３４に記載の方法。
【請求項３７】
該基体は、ストランドであり、
前記方法は、さらに、該ストランドを該液体吐出ノズルに対して相対的に移動させながら、該液体吐出ノズルと一体に形成されたストランドガイド内で該ストランドを案内することを含むことを特徴とする請求項３４に記載の方法。